(57)【要約】  【課題】  ディジタル情報へのアクセスコントロールを行なうディジタル情報管理装置を得る。  【解決手段】  暗号化されたディジタル情報を、管理センタより入手した復号用暗号鍵を用いて復号する復号手段と、前記復号手段により復号されたディジタル情報を、前記管理センタより入手した暗号化用暗号鍵を用いて再暗号化する暗号化手段を備えるとともに、前記復号手段において前記管理センタから入手した復号用暗号鍵を用いて復号されたディジタル情報は、前記暗号化手段において、前記管理センタから入手した前記復号用暗号鍵とは異なる暗号化用暗号鍵を用いて再暗号化するよう構成した。【選択図】      図１
2006246541.tif 000002
【特許請求の範囲】
【請求項１】
暗号化されたディジタル情報を入力し、管理センタより入手した復号用暗号鍵を用いて、前記暗号化されたディジタル情報を復号する復号手段と、
前記復号手段により復号されたディジタル情報を、前記管理センタより入手した暗号化用暗号鍵を用いて、再暗号化する暗号化手段とを備えるとともに、
前記復号手段において前記管理センタから入手した復号用暗号鍵を用いて復号されたディジタル情報は、前記暗号化手段において、前記管理センタから入手した前記復号用暗号鍵とは異なる暗号化用暗号鍵を用いて再暗号化されるよう構成したことを特徴とするディジタル情報管理装置。
【請求項２】
前記復号手段により復号されたディジタル情報を入力し、この復号されたディジタル情報を表示、加工又は編集を行なう表示・加工・編集手段と、
前記暗号化手段により再暗号化されたディジタル情報を、送出、転送、蓄積又は複写する送出・転送・蓄積・複写手段とを備え、
前記表示・加工・編集手段と、前記送出・転送・蓄積・複写手段との間の前記ディジタル情報のやりとりは、前記復号手段あるいは前記暗号化手段を経由して行なうことを特徴とする請求項１記載のディジタル情報管理装置。
【請求項３】
中央処理装置を備えた前記表示・加工・編集手段と、この中央処理装置に直結された主データバスとを備え、前記復号手段及び前記暗号化手段を前記主データバスに接続したことを特徴とする請求項２記載のディジタル情報管理装置。
【請求項４】
中央処理装置を備えた前記表示・加工・編集手段と、補助記憶装置及びネットワーク接続装置を備えた前記送出・転送・蓄積・複写手段と、前記補助記憶装置及びネットワーク接続装置が接続された副データバスとを備え、前記復号手段及び前記暗号化手段を前記副データバスに接続したことを特徴とする請求項２記載のディジタル情報管理装置。
【請求項５】
前記復号手段及び前記暗号化手段をＬＳＩに備えたことを特徴とする請求項１記載のディジタル情報管理装置。
【請求項６】
前記復号手段及び前記暗号化手段を拡張ボードに備えたことを特徴とする請求項１記載のディジタル情報管理装置。
【請求項７】
前記復号手段及び前記暗号化手段をＰＣカードに備えたことを特徴とする請求項１記載のディジタル情報管理装置。
【発明の詳細な説明】
【技術分野】
【０００１】
この発明は、ディジタル化情報の著作権を計算機上で管理する装置に関するものである。
【背景技術】
【０００２】
図７は、一般的な計算機のブロック図であり、図において、１は中央処理装置（ＣＰＵ）、２は固定ディスク装置（ＨＤＤ装置）、３はフロッピー（登録商標）（Ｒ）ディスク装置（ＦＤＤ装置）、４はプリンタ装置、５はＲＳ−２３２Ｃポート等の外部のネットワークに接続するためのインタフェース、６はＣＤ−ＲＯＭドライブ装置、ビデオ信号入力装置、放送波受信装置、スキャナー、拡張ＨＤＤ等のオプションハードウェア、７はＲＯＭ、８は主記憶用ＲＡＭ、９はＣＲＴへの表示データを蓄えるビデオＲＡＭ、２２は以上の各構成要素間で情報を送受するための主データバスである。
【０００３】
次に動作について説明する。
ＣＤ−ＲＯＭ、ＦＤＤ等の記憶媒体で供給される著作権主張があるディジタル情報は、オプションハードウェア６としてのＣＤ−ＲＯＭドライブ、あるいは、ＦＤＤ装置３から主データバス２２を介して主記憶用ＲＡＭ８に記憶され、ついで、主記憶用ＲＡＭ８、あるいは、ＲＯＭ７に記憶されたプログラムに従い、主データバス２２を介して接続されたＣＰＵ１、あるいはオプションハードウェア６に接続された専用展開・変換装置によって展開・変換されて、同じく主データバス２２、及び、ビデオＲＡＭ９を介して、ＣＲＴ装置で表示される。
【特許文献１】特開平６−３２６８８２号公報
【発明の開示】
【発明が解決しようとする課題】
【０００４】
従来の一般的な計算機は以上のように構成されているので、主記憶用ＲＡＭ８に記憶されたディジタル情報は、主データバス２２に接続されたＨＤＤ装置２、ＦＤＤ装置３、あるいは、外部のネットワークに接続するためのインタフェース５を介することで容易に複製・送出することが可能であり、意図的であるか意図的でないかに関わらずＣＤ−ＲＯＭ、ＦＤＤ等の記憶媒体で供給される著作権主張がなされたディジタル情報に対し、制作者が持つ正当な権利である著作権を侵害する行為が容易に実現可能という問題点があった。
【０００５】
この発明は上記のような問題点を解消するためになされたもので、ＣＤ−ＲＯＭ、ＦＤＤ等の記憶媒体で供給される著作権主張がなされたディジタル情報へのアクセスコントロールを実現するとともに、主データバス２２に接続されたＨＤＤ装置２、ＦＤＤ装置３、あるいは、外部のネットワークに接続するためのインタフェース５を介するディジタル情報の複製・送出に際して暗号化を施すことができる著作権管理機能を有するディジタル情報管理装置を得ること、および、ディジタル情報管理装置に用いる暗号化／復号ハードウェアを得ることを目的とする。
【課題を解決するための手段】
【０００６】
この発明に係るディジタル情報管理装置は、暗号化されたディジタル情報を入力し、管理センタより入手した復号用暗号鍵を用いて、暗号化されたディジタル情報を復号する復号手段と、復号手段により復号されたディジタル情報を、管理センタより入手した暗号化用暗号鍵を用いて、再暗号化する暗号化手段とを備えるとともに、復号手段において管理センタから入手した復号用暗号鍵を用いて復号されたディジタル情報は、暗号化手段において、管理センタから入手した復号用暗号鍵とは異なる暗号化用暗号鍵を用いて再暗号化されるよう構成したものである。
【発明の効果】
【０００７】
この発明によれば、著作権主張のある暗号化ディジタル情報ＥＤ１ｉは、この発明のディジタル情報管理装置により復号用暗号鍵Ｋ１を用いて復号しないとアクセスできないので、許可なしで著作権主張のあるディジタル情報を扱うことはできない。
【０００８】
さらに、表示・編集・加工された著作権主張のあるディジタル情報Ｄ２ｉは、暗号化用暗号鍵Ｋ２により再度暗号化された後でなければ、転送・複写・蓄積が許可されないので、不正に転送・複写・蓄積したディジタル情報は利用することを防ぐことができる。
【発明を実施するための最良の形態】
【０００９】
実施の形態１．
以下、この発明の一実施の形態を図について説明する。図１において、１１は暗号化／復号ハードウェア、２３はこの暗号化／復号ハードウェア１１に接続された副データバスである。また、この暗号化／復号ハードウェア１１は主データバス２２にも接続されており、この主データバス２２を介して、ＣＰＵ１、ＲＯＭ７、主記憶用ＲＡＭ８、ビデオＲＡＭ９とのデータ交換がなされる。
【００１０】
次に、図１を用いてこの実施の形態１の動作を説明する。
著作権主張があるディジタル情報は暗号化され、この暗号化された著作権主張のあるディジタル情報ＥＤ１ｉは、ＣＤ−ＲＯＭ、ＦＤＤ等の記憶媒体で供給されるか、あるいは、放送波発信装置から発信されて供給される。
そして、この著作権主張のある暗号化ディジタル情報ＥＤ１ｉは、この実施の形態１の著作権管理装置においては、オプションハードウェア６の一つであるＣＤ−ＲＯＭドライブ又は放送波受信装置、あるいは、ＦＤＤ装置３により取得される。暗号化／復号ハードウェア１１は、入手した著作権主張のある暗号化ディジタル情報ＥＤ１ｉを、副データバス２３経由でオプションハードウェア６又はＦＤＤ装置３から読み出し、別途著作権管理センタから入手しＣＰＵ１から暗号化／復号ハードウェア１１に入力された復号用暗号鍵Ｋ１により、復号し、主データバス２２経由で主記憶用ＲＡＭ８に記憶させる。
ついで、従来例と同様に、復号されたディジタル情報は、主記憶用ＲＡＭ８、あるいは、ＲＯＭ７に記憶されたプログラムに従い、主データバス２２を介して接続されたＣＰＵ１、あるいは、オプションハードウェア６に接続された専用展開・変換装置によって展開・変換されて、同じく主データバス２２、及び、ビデオＲＡＭ９を介して、ＣＲＴ装置で表示される。
【００１１】
次に、ＣＰＵ１等が、復号されたディジタル情報を主データバス２２経由で入力し、表示・編集・加工した後、この編集・加工した著作権主張のあるディジタル情報を、ＨＤＤ装置２、ＦＤＤ装置３、あるいは、外部のネットワークに接続するためのインタフェース５経由で複製・送出する場合について説明する。
暗号化／復号ハードウェア１１は、主記憶用ＲＡＭ８に記憶されている表示・編集・加工された著作権主張のあるディジタル情報Ｄ２ｉを、主データバス２２経由で読み出し、別途著作権管理センタから入手しＣＰＵ１から暗号化／復号ハードウェア１１に入力された暗号化用暗号鍵Ｋ２により、暗号化を行ない、暗号化ディジタル情報ＥＤ２ｉを作成する。そして、暗号化／復号ハードウェア１１は、副データバス２３を経由し、ＨＤＤ装置２、ＦＤＤ装置３、あるいは、外部のネットワークに接続するためのインタフェース５から、著作権主張のある暗号化ディジタル情報ＥＤ２ｉを複製・送出する。
【００１２】
以上のように、著作権主張のあるディジタル情報は暗号化されて供給されるが、この実施の形態１によれば、別途著作権管理センタから入手した復号用暗号鍵Ｋ１を用いて著作権主張のある暗号化ディジタル情報の復号を行なうことができる。
また、編集・加工した著作権主張のあるディジタル情報は、別途著作権管理センタから入手した暗号化用暗号鍵Ｋ２により暗号化を行なって複製・送出することができる。
【００１３】
実施の形態２．
図１に示した実施の形態１では、副データバス２３を備えているが、図２に示すように、暗号化／復号ハードウェア１１、ＨＤＤ装置２、ＦＤＤ装置３、プリンタ装置４、インタフェース５、及び、オプションハードウェア６を主データバス２２に接続しても良い。
図２に示した著作権管理装置において、暗号化／復号ハードウェア１１は、ＨＤＤ装置２、ＦＤＤ装置３、インタフェース５、及び、オプションハードウェア６と入出力を行なう際には、主データバス２２を経由して行ない、この点が実施の形態１との相違点である。その他は、実施の形態１と同様の動作を行なう。
【００１４】
実施の形態３．
実施の形態１及び実施の形態２では、著作権主張があるディジタル情報の復号処理及び暗号化処理を暗号化／復号ハードウェア１１を用いて行なったが、この暗号化／復号ハードウェア１１が行なう処理をソフトウェアで実現しても良い。
図３は、図２の暗号化／復号ハードウェア１１が行なう処理をソフトウェアで実現する場合の構成図である。図３において、１０は主記憶用ＲＡＭ８上の暗号処理プログラムであり、実施の形態１及び実施の形態２の暗号化／復号ハードウェア１１と同様な復号処理及び暗号化処理を行なう。また、暗号処理プログラム１０は、ＨＤＤ装置２、ＦＤＤ装置３、インタフェース５、及び、オプションハードウェア６と入出力を行なう際には、主データバス２２を経由して行なう。
【００１５】
暗号処理プログラム１０は、復号処理を行なう際、入手した著作権主張のある暗号化ディジタル情報ＥＤ１ｉを、主データバス２２経由でオプションハードウェア６又はＦＤＤ装置３から読み出し、別途著作権管理センタから入手しＣＰＵ１から暗号処理プログラム１０に入力された復号用暗号鍵Ｋ１により、復号し、主データバス２２経由で主記憶用ＲＡＭ８に記憶させる。
また、暗号処理プログラム１０は、暗号化処理を行なう際、主データバス２２経由で主記憶用ＲＡＭ８に記憶されている表示・編集・加工された著作権主張のあるディジタル情報Ｄ２ｉを読み出し、別途著作権管理センタから入手しＣＰＵ１から暗号処理プログラム１０に入力された暗号化用暗号鍵Ｋ２により、暗号化を行ない、暗号化ディジタル情報ＥＤ２ｉを作成する。そして、暗号処理プログラム１０は、主データバス２２を経由し、ＨＤＤ装置２、ＦＤＤ装置３、あるいは、外部のネットワークに接続するためのインタフェース５から、著作権主張のある暗号化ディジタル情報ＥＤ２ｉを複製・送出する。
【００１６】
実施の形態４．
この実施の形態４では、暗号化／復号ハードウェア１１を更に具体化した構成の実施の形態について述べる。
図４は、実施の形態１又は実施の形態２の暗号化／復号ハードウェア１１をＬＳＩで実現した場合の暗号化／復号処理ＬＳＩの構成図である。図４において、１２は暗号化／復号処理ＬＳＩ、１５は暗号化回路、１６は復号回路、１７はバッファメモリ、１８は主データバス２２又は副データバス２３に接続するためのバスインタフェースである。
【００１７】
次に、図４に示す暗号化／復号処理ＬＳＩ１２を実施の形態１の暗号化／復号ハードウェア１１に適用した場合を例にして復号処理を説明する。
入手した著作権主張のある暗号化ディジタル情報ＥＤ１ｉは、副データバス２３経由でオプションハードウェア６又はＦＤＤ装置３から読み出され、バスインタフェース１８経由で暗号化／復号処理ＬＳＩ１２のバッファメモリ１７に記憶される。次に、復号回路１６は、バッファメモリ１７から暗号化ディジタル情報ＥＤ１ｉを読み出し、別途著作権管理センタから入手しＣＰＵ１から暗号化／復号処理ＬＳＩ１２に入力された復号用暗号鍵Ｋ１により、復号を行ない、復号されたデータを再びバッファメモリ１７に記憶させる。復号され平文Ｄ１ｉに戻されたディジタル情報は、バスインタフェース１８経由で主データバス２２に送り出され、主記憶用ＲＡＭ８に記憶される。
【００１８】
次に、編集・加工された著作権主張のあるディジタル情報の暗号化処理を説明する。
ＣＰＵ１等により表示・編集・加工され主記憶用ＲＡＭ８に記憶されている著作権主張のあるディジタル情報Ｄ２ｉは、主データバス２２経由で読み出され、バスインタフェース１８経由でバッファメモリ１７に記憶される。暗号化回路１５は、バッファメモリ１７から読み出した平文の著作権主張のあるディジタル情報Ｄ２ｉを、別途著作権管理センタから入手されてＣＰＵ１から暗号化／復号処理ＬＳＩ１２に入力された暗号化用暗号鍵Ｋ２により、暗号化を行ない、暗号化ディジタル情報ＥＤ２ｉを作成する。暗号化ディジタル情報ＥＤ２ｉは、暗号化回路１５により再びバッファメモリ１７に記憶される。そして、暗号化され暗号文となった暗号化ディジタル情報ＥＤ２ｉは、バスインタフェース１８を経由し、副データバス２３に送り出される。副データバス２３に送り出された著作権主張のある暗号化ディジタル情報ＥＤ２ｉは、ＨＤＤ装置２、ＦＤＤ装置３、あるいは、外部のネットワークに接続するためのインタフェース５から、複製・送出される。
【００１９】
実施の形態５．
実施の形態４では、実施の形態１又は実施の形態２の暗号化／復号ハードウェア１１をＬＳＩで実現した場合の暗号化／復号処理ＬＳＩを示したが、拡張ボードで実現しても良い。
図５は、実施の形態１又は実施の形態２の暗号化／復号ハードウェア１１を拡張ボードで実現した場合の暗号化／復号処理拡張ボードの構成図である。図５において、１３は暗号化／復号処理拡張ボード、１９はＩＳＡバスインタフェースである。暗号化／復号処理拡張ボード１３は、他の装置とデータの入出力を行なう際には、ＩＳＡバスインタフェース１９を経由して行ない、この点が実施の形態４との相違点である。その他は、実施の形態４と同様の動作を行なう。
【００２０】
実施の形態６．
実施の形態１又は実施の形態２の暗号化／復号ハードウェア１１を、ＰＣＭＣＩＡカードや、ＩＣカード等を用いた暗号化／復号処理ＰＣカードで実現することも可能であり、図６に、暗号化／復号処理ＰＣカードの構成図を示す。図６において、１４は暗号化／復号処理ＰＣカード、２０はＰＣカードバスインタフェース、２１はＰＣカードコントローラである。
暗号化／復号処理ＰＣカード１４は、他の装置とデータの入出力を行なう際には、ＰＣカードバスインタフェース２０とＰＣカードコントローラ２１とを経由して行ない、この点が実施の形態４との相違点である。その他は、実施の形態４と同様の動作を行なう。
【００２１】
実施の形態７．
実施の形態５で説明した暗号化／復号処理拡張ボード１３では、暗号化／復号処理拡張ボード１３上に暗号化回路１５、復号回路１６、バッファメモリ１７を個別に設けたが、これらの暗号化回路１５、復号回路１６、バッファメモリ１７の代わりに、実施の形態４で説明した暗号化／復号処理ＬＳＩ１２を用いても同様の効果を実現できる。
【００２２】
実施の形態８．
実施の形態６で説明した暗号化／復号処理ＰＣカード１４では、暗号化／復号処理ＰＣカード１４上に暗号化回路１５、復号回路１６、バッファメモリ１７を個別に設けたが、これらの暗号化回路１５、復号回路１６、バッファメモリ１７の代わりに、実施の形態４で説明した暗号化／復号処理ＬＳＩ１２を用いても同様の効果を実現できる。
【００２３】
実施の形態９．
実施の形態４で説明した暗号化／復号処理ＬＳＩ１２では、主データバス２２、副データバス２３と接続するバスインタフェース１８は共通であるが、主データバス２２と接続するバスインタフェースと、副データバス２３と接続するバスインタフェースとをそれぞれ個別にもうけても暗号化／復号処理ＬＳＩ１２としては同様の効果を実現できる。
【図面の簡単な説明】
【００２４】
【図１】この発明の実施の形態１による著作権管理装置を示すブロック図である。
【図２】この発明の実施の形態２による著作権管理装置を示すブロック図である。
【図３】この発明の実施の形態３による著作権管理装置を示すブロック図である。
【図４】この発明の実施の形態４による暗号化／復号ハードウェアを示すブロック図である。
【図５】この発明の実施の形態５による暗号化／復号ハードウェアを示すブロック図である。
【図６】この発明の実施の形態６による暗号化／復号ハードウェアを示すブロック図である。
【図７】従来の一般的な計算機を示すブロック図である。
【符号の説明】
【００２５】
１  中央処理装置（ＣＰＵ）、２  固定ディスク装置（ＨＤＤ装置）、３  フロッピー（登録商標）（Ｒ）ディスク装置（ＦＤＤ装置）、４  プリンタ装置、５  インタフェース、６  オプションハードウェア、７  ＲＯＭ、８  主記憶用ＲＡＭ、９  ビデオＲＡＭ、１０  暗号処理プログラム、１１  暗号化／復号ハードウェア、１２  暗号化／復号処理ＬＳＩ、１３  暗号化／復号処理拡張ボード、１４  暗号化／復号処理ＰＣカード、１５  暗号化回路、１６  復号回路、１７  バッファメモリ、１８  バスインタフェース、１９  ＩＳＡバスインタフェース、２０  ＰＣカードバスインタフェース、２１  ＰＣカードコントローラ、２２  主データバス、２３  副データバス
【図１】
2006246541.tif 000003
【図２】
2006246541.tif 000004
【図３】
2006246541.tif 000005
【図４】
2006246541.tif 000006
【図５】
2006246541.tif 000007
【図６】
2006246541.tif 000008
【図７】
2006246541.tif 000009